(57)【特許請求の範囲】
【請求項１】
地震等の振動発生の際、レール体のレール面に接合しながらレール面上を移動する移動体の介在配置により平面移動するように構成した複数の対向配置の架台を具備し、この架台の平面移動により振動を吸収可能に構成し、架台上の被搭載物を地震等の各種振動から保護するようにした免震装置であり、
前記移動体に配設したコロ体からなる移動部材の前後の部位に、前記架台の平面移動を可能としている当該移動体の移動部材の移動に沿って移動しながら、前記レール面上を掃除、ブラッシング可能なように構成配置したブラシ体を配置したとともに、前記移動体は、その移動方向、進行方向の両端面に、衝撃を緩和、吸収できる材質のダンパ材からなる衝撃緩和部を固着して構成し、
前記免震装置における接地面に位置する架台の底面部の複数箇所に、この架台を接地面に固定するための止めボルト等の装着用の孔を設け、前記免震装置における接地面に位置する架台の底面部の複数箇所に、接地面を損傷せずに保護することができ、且つ、装置自体の滑り止めともなり、しかも、免震装置のレベリングを調整するためのアジャスタを設けて構成した免震装置であって、
前記平面移動するように構成した架台のいずれか一方には、端部に回転可能にコロを備え、下面側に基台、スペーサが配置可能な隙間を有しつつ当該架台上にネジ、ナットを用いて支持されるとともに、上面側に弾性体と、この弾性体の締め付け状態の強弱の調整を行うネジ機構を具備する支持枠を有するストッパ体を備え、前記レール体の内側位置に平面又は底部を有し緩やかに傾斜した傾斜面を有するＶ字状又は円弧状のストッパ受面を具備するストッパ受体を設け、前記ストッパ体のコロを前記ストッパ受体のストッパ受面に係止し、前記ストッパ体における支持枠の隙間へのスペーサの装着と、前記ネジ機構による弾性体の支持枠に対する締め付け状態の強弱の調整とにより、前記支持枠を介して前記ストッパ受面への前記コロの接触状態を調整することで、架台の平面移動時の減衰の調整を可能に構成したことを特徴とする免震装置。
【請求項２】
平面状に対向する架台を具備し、地震等の振動発生の際、前記対向する架台の内のいずれか一方の架台がレール体のレール面に接合しながらレール面上を移動する移動体の介在配置により平面移動し、この架台の平面移動により振動を吸収可能に構成し、前記対向する架台の内の上方に位置する架台上の被搭載物を地震等の各種振動から保護するようにした免震装置であり、
前記移動体に配設したコロ体からなる移動部材の前後の部位に、前記架台の平面移動を可能としている当該移動体の移動部材の移動に沿って移動しながら、前記レール面上を掃除、ブラッシング可能なように構成配置したブラシ体を配置したとともに、前記移動体は、その移動方向、進行方向の両端面に、衝撃を緩和、吸収できる材質のダンパ材からなる衝撃緩和部を固着して構成し、
前記免震装置における接地面に位置する架台の底面部の複数箇所に、この架台を接地面に固定するための止めボルト等の装着用の孔を設け、前記免震装置における接地面に位置する架台の底面部の複数箇所に、接地面を損傷せずに保護することができ、且つ、装置自体の滑り止めともなり、しかも、免震装置のレベリングを調整するためのアジャスタを設けて構成した免震装置であって、
前記平面状に対向する架台のいずれか一方には、端部に回転可能にコロを備え、下面側に基台、スペーサが配置可能な隙間を有しつつ当該架台上にネジ、ナットを用いて支持されるとともに、上面側に弾性体と、この弾性体の締め付け状態の強弱の調整を行うネジ機構を具備する支持枠を有するストッパ体を備え、前記レール体の内側位置に平面又は底部を有し緩やかに傾斜した傾斜面を有するＶ字状又は円弧状のストッパ受面を具備するストッパ受体を設け、前記ストッパ体のコロを前記ストッパ受体のストッパ受面に係止し、前記ストッパ体における支持枠の隙間へのスペーサの装着と、前記ネジ機構による弾性体の支持枠に対する締め付け状態の強弱の調整とにより、前記支持枠を介して前記ストッパ受面への前記コロの接触状態を調整することで、架台の平面移動時の減衰の調整を可能に構成したことを特徴とする免震装置。
【請求項３】
地震等の振動発生の際、夫々レール体のレール面に接合しながらレール面上を移動する移動体の介在配置により個別に直交する方向に自在に平面移動する各架台を具備し、当該各架台の平面移動により振動を吸収可能に構成し、前記各架台の内の上方に位置する架台上の被搭載物を地震等の各種振動から保護するようにした免震装置であり、
前記移動体に配設したコロ体からなる移動部材の前後の部位に、前記架台の平面移動を可能としている当該移動体の移動部材の移動に沿って移動しながら、前記レール面上を掃除、ブラッシング可能なように構成配置したブラシ体を配置したとともに、前記移動体は、その移動方向、進行方向の両端面に、衝撃を緩和、吸収できる材質のダンパ材からなる衝撃緩和部を固着して構成し、
前記免震装置における接地面に位置する架台の底面部の複数箇所に、この架台を接地面に固定するための止めボルト等の装着用の孔を設け、前記免震装置における接地面に位置する架台の底面部の複数箇所に、接地面を損傷せずに保護することができ、且つ、装置自体の滑り止めともなり、しかも、免震装置のレベリングを調整するためのアジャスタを設けて構成した免震装置であって、
前記平面移動する各架台のいずれか一方には、端部に回転可能にコロを備え、下面側に基台、スペーサが配置可能な隙間を有しつつ当該架台上にネジ、ナットを用いて支持されるとともに、上面側に弾性体と、この弾性体の締め付け状態の強弱の調整を行うネジ機構を具備する支持枠を有するストッパ体を備え、前記レール体の内側位置に平面又は底部を有し緩やかに傾斜した傾斜面を有するＶ字状又は円弧状のストッパ受面を具備するストッパ受体を設け、前記ストッパ体のコロを前記ストッパ受体のストッパ受面に係止し、前記ストッパ体における支持枠の隙間へのスペーサの装着と、前記ネジ機構による弾性体の支持枠に対する締め付け状態の強弱の調整とにより、前記支持枠を介して前記ストッパ受面への前記コロの接触状態を調整することで、架台の平面移動時の減衰の調整を可能に構成したことを特徴とする免震装置。
【請求項４】
床面等に配置する下部架台と、この下部架台の上方で美術品等を搭載する上部架台と、この下部架台と上部架台との間に配置した中間部架台とを具備し、前記上部架台、中間部架台が、地震等の振動発生の際、夫々レール体のレール面に接合しながらレール面上を移動する移動体の介在配置により個別に直交する方向に自在に平面移動しながら振動を吸収可能に構成し、前記上部架台上の被搭載物を地震等の各種振動から保護するようにした免震装置であり、
前記移動体に配設したコロ体からなる移動部材の前後の部位に、前記架台の平面移動を可能としている当該移動体の移動部材の移動に沿って移動しながら、前記レール面上を掃除、ブラッシング可能なように構成配置したブラシ体を配置したとともに、前記移動体は、その移動方向、進行方向の両端面に、衝撃を緩和、吸収できる材質のダンパ材からなる衝撃緩和部を固着して構成し、
前記免震装置における接地面に位置する架台の底面部の複数箇所に、この架台を接地面に固定するための止めボルト等の装着用の孔を設け、前記免震装置における接地面に位置する架台の底面部の複数箇所に、接地面を損傷せずに保護することができ、且つ、装置自体の滑り止めともなり、しかも、免震装置のレベリングを調整するためのアジャスタを設けて構成した免震装置であって、
前記下部架台の上面と中間部架台の下面のいずれかの一面、中間部架台の上面と上部架台の下面のいずれかの一面には、端部に回転可能にコロを備え、下面側に基台、スペーサが配置可能な隙間を有しつつ当該架台上にネジ、ナットを用いて支持されるとともに、上面側に弾性体と、この弾性体の締め付け状態の強弱の調整を行うネジ機構を具備する支持枠を有するストッパ体を備え、前記レール体の内側位置に平面又は底部を有し緩やかに傾斜した傾斜面を有するＶ字状又は円弧状のストッパ受面を具備するストッパ受体を設け、前記ストッパ体のコロを前記ストッパ受体のストッパ受面に係止し、前記ストッパ体における支持枠の隙間へのスペーサの装着と、前記ネジ機構による弾性体の支持枠に対する締め付け状態の強弱の調整とにより、前記支持枠を介して前記ストッパ受面への前記コロの接触状態を調整することで、移動する前記上部架台、中間部架台の平面移動時の減衰の調整を可能に構成したことを特徴とする免震装置。
【請求項５】
床面等に配置する下部架台と、この下部架台の上方でコンピューター、精密機械等の機械器具等、又は美術品等を搭載する上部架台と、この下部架台と上部架台との間に配置した中間部架台とを具備し、
前記下部架台、中間部架台が、地震等の振動発生の際、夫々個別に直交する方向に自在に水平移動しながら振動を吸収可能に構成し、前記上部架台上の被搭載物を地震等の各種振動から保護するようにした免震装置で、
前記下部架台の上面と、前記中間部架台の下面との各対向面の夫々左右位置には、夫々上下に対向する各レール面を有する各レール体を具備し、
前記中間部架台の上面と、前記上部架台下面との各対向面の夫々左右位置には、夫々上下に対向し、且つ、前記下部架台の上面と中間部架台の下面とに配置した各レール面に直交する各レール面を有する各レール体を具備し、
前記下部架台の上面と中間部架台の下面との間、中間部架台の上面と上部架台下面との間には、前記各架台に配置した各レール体の上下に対向する各レール面に上下から挟持され、地震等の振動発生の際、前記下部架台、中間部架台が夫々個別に直交する方向に自在に水平移動可能な状態で、且つ、前記各架台に配置した各レール体の長さ内の一定範囲内においてレール面上を移動自在なように構成した移動体を具備し、
前記移動体に配設したコロ体からなる移動部材の前後の部位に、前記架台の平面移動を可能としている当該移動体の移動部材の移動に沿って移動しながら、前記レール面上を掃除、ブラッシング可能なように構成配置したブラシ体を配置したとともに、前記移動体は、その移動方向、進行方向の両端面に、衝撃を緩和、吸収できる材質のダンパ材からなる衝撃緩和部を固着して構成し、
前記免震装置における接地面に位置する架台の底面部の複数箇所に、この架台を接地面に固定するための止めボルト等の装着用の孔を設け、前記免震装置における接地面に位置する架台の底面部の複数箇所に、接地面を損傷せずに保護することができ、且つ、装置自体の滑り止めともなり、しかも、免震装置のレベリングを調整するためのアジャスタを設けて構成した免震装置であって、
前記下部架台の上面と中間部架台の下面のいずれかの一面、中間部架台の上面と上部架台の下面のいずれかの一面には、端部に回転可能にコロを備え、下面側に基台、スペーサが配置可能な隙間を有しつつ当該架台上にネジ、ナットを用いて支持されるとともに、上面側に弾性体と、この弾性体の締め付け状態の強弱の調整を行うネジ機構を具備する支持枠を有するストッパ体を備え、前記レール体の内側位置に平面又は底部を有し緩やかに傾斜した傾斜面を有するＶ字状又は円弧状のストッパ受面を具備するストッパ受体を設け、前記ストッパ体のコロを前記ストッパ受体のストッパ受面に係止し、前記ストッパ体における支持枠の隙間へのスペーサの装着と、前記ネジ機構による弾性体の支持枠に対する締め付け状態の強弱の調整とにより、前記支持枠を介して前記ストッパ受面への前記コロの接触状態を調整することで、移動する前記上部架台、中間部架台の平面移動時の減衰の調整を可能に構成したことを特徴とする免震装置。
【発明の詳細な説明】
【発明の属する技術分野】
本発明は、例えば美術品等を収めている搭載ケース等を、地震をはじめとする各種振動から保護するための物品搭載用の免震装置に関し、詳しくは、本装置中の架台を可動可能に構成している移動体に改良を施したとともに、接地面に位置する架台部分に改良を施した免震装置に関するものである。
【従来の技術】
この種の免震装置として、例えば、大小を問わず各種の地震等の振動発生の場合でも水平方向の振動を吸収することにより、床面に配置される台の上のコンピューター、精密機械等の機械器具、搭載台上の各種の搭載物、搭載ケース等に収納した各種搭載品等々が倒れてしまうような事態を防止できるとともに、地震等の発生振動が終わった後に、搭載台等を円滑に素早く元の位置へ復帰でき、しかも、設置場所も比較的狭いスペースで良く、既存、既製の搭載台、搭載ケース等にそのまま適用することができる装置としたものがある。
上記免震装置の要旨を説明すると次の通りである。
即ち、この免震装置は、床面等に配置する下部架台と、この下部架台の上方でコンピューター、精密機械等の機械器具等、又は美術品等を搭載する上部架台と、この下部架台と上部架台との間に配置した中間部架台とを具備し、前記下部架台、中間部架台が、地震等の振動発生の際、夫々個別に直交する方向に自在に水平移動しながら振動を吸収可能に構成し、前記上部架台上の被搭載物を地震等の各種振動から保護するようにした免震装置であり、前記下部架台の上面と、前記中間部架台の下面との各対向面の夫々左右位置には、夫々上下に対向する各レール面を有する各レール体を具備し、前記中間部架台の上面と、前記上部架台下面との各対向面の夫々左右位置には、夫々上下に対向し、且つ、前記下部架台の上面と中間部架台の下面とに配置した各レール面に直交する各レール面を有する各レール体を具備し、前記下部架台の上面と中間部架台の下面との間、中間部架台の上面と上部架台下面との間には、前記各架台に配置した各レール体の上下に対向する各レール面に上下から挟持され、地震等の振動発生の際、前記下部架台、中間部架台が夫々個別に直交する方向に自在に水平移動可能な状態で、且つ、前記各架台に配置した各レール体の長さ内の一定範囲内においてレール面上を移動自在なように構成した移動体を具備し、前記下部架台の上面と中間部架台の下面のいずれかの一面、中間部架台の上面と上部架台の下面のいずれかの一面には、地震等の振動発生のとき、前記下部架台、中間部架台が、夫々個別に直交する方向に自在に水平移動する際における前記下部架台と中間部架台、及び中間部架台と上部架台の各水平移動に対して各架台の脱落・外脱を防止し、且つ、ストッパ受体と係止するように構成したストッパ体を具備してなることを要旨とするものである。
【発明が解決しようとする課題】
上述した免震装置は、例えば美術品等を収めている搭載ケース等を、地震をはじめとする各種振動から保護するための基本的構成の免震装置としては優れた作用、効果を発揮できるものである。
しかし、上述した免震装置においては、夫々適当な隙間を有しつつ対向して積層状態に置かれる床面等に配置する下部架台、下部架台の上方で美術品等を搭載する上部架台、下部架台と上部架台との間に配置した中間部架台の各架台の側面周囲の隙間から、夫々個別に可動する各架台の各平面移動に阻害を与えるような物、例えば、埃、塵、虫等の異物が、各架台内、特に、後記する架台を可動可能に構成している移動体の付近に埃、塵、虫等の異物が侵入し、移動体のレール面に埃、塵、虫等の異物が付着等した場合の対策、異物排除手段が取られていない。
そして、埃、塵、虫等の異物が、各架台内、特に、後記する架台を可動可能に構成している移動体の付近に埃、塵、虫等の異物が侵入し、移動体のレール面に埃、塵、虫等の異物が付着等した場合の対策、排除手段が取られていないという事情、状況は、前記従来の装置ばかりでなく、地震等の振動発生の際平面移動するように構成した架台を具備し、この架台の平面移動により振動を吸収可能に構成し、架台上の被搭載物を地震等の各種振動から保護するようにした各種の免震装置の類についても同様である。
本発明は、上述した従来の免震装置をはじめとして、地震等の振動発生の際平面移動するように構成した架台を具備し、この架台の平面移動により振動を吸収可能に構成し、架台上の被搭載物を地震等の各種振動から保護するようにした免震装置の類において架台を可動可能に構成している移動体に改良を施し、地震等の振動発生の際架台の平面移動により振動を吸収し架台上の被搭載物を地震等の各種振動から保護できる機能を有しながら、しかも、架台の自在な水平移動時の減衰の調整を可能とし、また、架台の側面周囲の隙間から、架台の平面移動に阻害、支障を与えるような物、例えば、埃、塵、虫等の異物が架台内へ侵入した場合においても、決して移動体のレール面に埃、塵、虫等の異物が付着、残存等しないように構成し、常時、平面可動する架台の円滑な平面移動を保持し、この種の装置の最良な作動状態を常時維持することができるようにした免震装置を提供することを目的とする。
更に、本発明は、移動体の移動方向、進行方向の両端面に、適当な肉厚に形成した無弾性ダンパ材を固着し、移動体の上下に配置される可動架台が水平移動するとき、移動体の両端部の衝撃を無弾性ダンパ材により緩和、吸収し、可動架台の水平移動の衝撃を柔らかく受け止めることにより、架台内において移動体の両端部が衝突しても可動架台が不用意に飛び跳ねることのないように構成した免震装置を提供することを目的とする。
更にまた、本発明は、装置中の接地面に位置する架台の複数箇所を接地面にボルト等にて止着し、架台全体が決して大きく倒れるような事態を防止するように構成したとともに、装置中の接地面に位置する架台の複数箇所に、接地面を損傷しないように保護しながら簡易に装置のレベル調整を行うことができるアジャスタを設けてなる免震装置を提供することを目的とする。
【課題を解決するための手段】
請求項１記載の発明は、地震等の振動発生の際、レール体のレール面に接合しながらレール面上を移動する移動体の介在配置により平面移動するように構成した複数の対向配置の架台を具備し、この架台の平面移動により振動を吸収可能に構成し、架台上の被搭載物を地震等の各種振動から保護するようにした免震装置であり、前記移動体に配設したコロ体からなる移動部材の前後の部位に、前記架台の平面移動を可能としている当該移動体の移動部材の移動に沿って移動しながら、前記レール面上を掃除、ブラッシング可能なように構成配置したブラシ体を配置したとともに、前記移動体は、その移動方向、進行方向の両端面に、衝撃を緩和、吸収できる材質のダンパ材からなる衝撃緩和部を固着して構成し、前記免震装置における接地面に位置する架台の底面部の複数箇所に、この架台を接地面に固定するための止めボルト等の装着用の孔を設け、前記免震装置における接地面に位置する架台の底面部の複数箇所に、接地面を損傷せずに保護することができ、且つ、装置自体の滑り止めともなり、しかも、免震装置のレベリングを調整するためのアジャスタを設けて構成した免震装置であって、前記平面移動するように構成した架台のいずれか一方には、端部に回転可能にコロを備え、下面側に基台、スペーサが配置可能な隙間を有しつつ当該架台上にネジ、ナットを用いて支持されるとともに、上面側に弾性体と、この弾性体の締め付け状態の強弱の調整を行うネジ機構を具備する支持枠を有するストッパ体を備え、前記レール体の内側位置に平面又は底部を有し緩やかに傾斜した傾斜面を有するＶ字状又は円弧状のストッパ受面を具備するストッパ受体を設け、前記ストッパ体のコロを前記ストッパ受体のストッパ受面に係止し、前記ストッパ体における支持枠の隙間へのスペーサの装着と、前記ネジ機構による弾性体の支持枠に対する締め付け状態の強弱の調整とにより、前記支持枠を介して前記ストッパ受面への前記コロの接触状態を調整することで、架台の平面移動時の減衰の調整を可能に構成したことを特徴とする免震装置である。
請求項２記載の発明は、平面状に対向する架台を具備し、地震等の振動発生の際、前記対向する架台の内のいずれか一方の架台がレール体のレール面に接合しながらレール面上を移動する移動体の介在配置により平面移動し、この架台の平面移動により振動を吸収可能に構成し、前記対向する架台の内の上方に位置する架台上の被搭載物を地震等の各種振動から保護するようにした免震装置であり、前記移動体に配設したコロ体からなる移動部材の前後の部位に、前記架台の平面移動を可能としている当該移動体の移動部材の移動に沿って移動しながら、前記レール面上を掃除、ブラッシング可能なように構成配置したブラシ体を配置したとともに、前記移動体は、その移動方向、進行方向の両端面に、衝撃を緩和、吸収できる材質のダンパ材からなる衝撃緩和部を固着して構成し、前記免震装置における接地面に位置する架台の底面部の複数箇所に、この架台を接地面に固定するための止めボルト等の装着用の孔を設け、前記免震装置における接地面に位置する架台の底面部の複数箇所に、接地面を損傷せずに保護することができ、且つ、装置自体の滑り止めともなり、しかも、免震装置のレベリングを調整するためのアジャスタを設けて構成した免震装置であって、前記平面状に対向する架台のいずれか一方には、端部に回転可能にコロを備え、下面側に基台、スペーサが配置可能な隙間を有しつつ当該架台上にネジ、ナットを用いて支持されるとともに、上面側に弾性体と、この弾性体の締め付け状態の強弱の調整を行うネジ機構を具備する支持枠を有するストッパ体を備え、前記レール体の内側位置に平面又は底部を有し緩やかに傾斜した傾斜面を有するＶ字状又は円弧状のストッパ受面を具備するストッパ受体を設け、前記ストッパ体のコロを前記ストッパ受体のストッパ受面に係止し、前記ストッパ体における支持枠の隙間へのスペーサの装着と、前記ネジ機構による弾性体の支持枠に対する締め付け状態の強弱の調整とにより、前記支持枠を介して前記ストッパ受面への前記コロの接触状態を調整することで、架台の平面移動時の減衰の調整を可能に構成したことを特徴とする免震装置である。
請求項３記載の発明は、地震等の振動発生の際、夫々レール体のレール面に接合しながらレール面上を移動する移動体の介在配置により個別に直交する方向に自在に平面移動する各架台を具備し、当該各架台の平面移動により振動を吸収可能に構成し、前記各架台の内の上方に位置する架台上の被搭載物を地震等の各種振動から保護するようにした免震装置であり、前記移動体に配設したコロ体からなる移動部材の前後の部位に、前記架台の平面移動を可能としている当該移動体の移動部材の移動に沿って移動しながら、前記レール面上を掃除、ブラッシング可能なように構成配置したブラシ体を配置したとともに、前記移動体は、その移動方向、進行方向の両端面に、衝撃を緩和、吸収できる材質のダンパ材からなる衝撃緩和部を固着して構成し、前記免震装置における接地面に位置する架台の底面部の複数箇所に、この架台を接地面に固定するための止めボルト等の装着用の孔を設け、前記免震装置における接地面に位置する架台の底面部の複数箇所に、接地面を損傷せずに保護することができ、且つ、装置自体の滑り止めともなり、しかも、免震装置のレベリングを調整するためのアジャスタを設けて構成した免震装置であって、前記平面移動する各架台のいずれか一方には、端部に回転可能にコロを備え、下面側に基台、スペーサが配置可能な隙間を有しつつ当該架台上にネジ、ナットを用いて支持されるとともに、上面側に弾性体と、この弾性体の締め付け状態の強弱の調整を行うネジ機構を具備する支持枠を有するストッパ体を備え、前記レール体の内側位置に平面又は底部を有し緩やかに傾斜した傾斜面を有するＶ字状又は円弧状のストッパ受面を具備するストッパ受体を設け、前記ストッパ体のコロを前記ストッパ受体のストッパ受面に係止し、前記ストッパ体における支持枠の隙間へのスペーサの装着と、前記ネジ機構による弾性体の支持枠に対する締め付け状態の強弱の調整とにより、前記支持枠を介して前記ストッパ受面への前記コロの接触状態を調整することで、架台の平面移動時の減衰の調整を可能に構成したことを特徴とする免震装置である。
請求項４記載の発明は、床面等に配置する下部架台と、この下部架台の上方で美術品等を搭載する上部架台と、この下部架台と上部架台との間に配置した中間部架台とを具備し、前記上部架台、中間部架台が、地震等の振動発生の際、夫々レール体のレール面に接合しながらレール面上を移動する移動体の介在配置により個別に直交する方向に自在に平面移動しながら振動を吸収可能に構成し、前記上部架台上の被搭載物を地震等の各種振動から保護するようにした免震装置であり、前記移動体に配設したコロ体からなる移動部材の前後の部位に、前記架台の平面移動を可能としている当該移動体の移動部材の移動に沿って移動しながら、前記レール面上を掃除、ブラッシング可能なように構成配置したブラシ体を配置したとともに、前記移動体は、その移動方向、進行方向の両端面に、衝撃を緩和、吸収できる材質のダンパ材からなる衝撃緩和部を固着して構成し、前記免震装置における接地面に位置する架台の底面部の複数箇所に、この架台を接地面に固定するための止めボルト等の装着用の孔を設け、前記免震装置における接地面に位置する架台の底面部の複数箇所に、接地面を損傷せずに保護することができ、且つ、装置自体の滑り止めともなり、しかも、免震装置のレベリングを調整するためのアジャスタを設けて構成した免震装置であって、前記下部架台の上面と中間部架台の下面のいずれかの一面、中間部架台の上面と上部架台の下面のいずれかの一面には、端部に回転可能にコロを備え、下面側に基台、スペーサが配置可能な隙間を有しつつ当該架台上にネジ、ナットを用いて支持されるとともに、上面側に弾性体と、この弾性体の締め付け状態の強弱の調整を行うネジ機構を具備する支持枠を有するストッパ体を備え、前記レール体の内側位置に平面又は底部を有し緩やかに傾斜した傾斜面を有するＶ字状又は円弧状のストッパ受面を具備するストッパ受体を設け、前記ストッパ体のコロを前記ストッパ受体のストッパ受面に係止し、前記ストッパ体における支持枠の隙間へのスペーサの装着と、前記ネジ機構による弾性体の支持枠に対する締め付け状態の強弱の調整とにより、前記支持枠を介して前記ストッパ受面への前記コロの接触状態を調整することで、移動する前記上部架台、中間部架台の平面移動時の減衰の調整を可能に構成したことを特徴とする免震装置である。
請求項５記載の発明は、床面等に配置する下部架台と、この下部架台の上方でコンピューター、精密機械等の機械器具等、又は美術品等を搭載する上部架台と、この下部架台と上部架台との間に配置した中間部架台とを具備し、前記下部架台、中間部架台が、地震等の振動発生の際、夫々個別に直交する方向に自在に水平移動しながら振動を吸収可能に構成し、前記上部架台上の被搭載物を地震等の各種振動から保護するようにした免震装置で、
前記下部架台の上面と、前記中間部架台の下面との各対向面の夫々左右位置には、夫々上下に対向する各レール面を有する各レール体を具備し、前記中間部架台の上面と、前記上部架台下面との各対向面の夫々左右位置には、夫々上下に対向し、且つ、前記下部架台の上面と中間部架台の下面とに配置した各レール面に直交する各レール面を有する各レール体を具備し、前記下部架台の上面と中間部架台の下面との間、中間部架台の上面と上部架台下面との間には、前記各架台に配置した各レール体の上下に対向する各レール面に上下から挟持され、地震等の振動発生の際、前記下部架台、中間部架台が夫々個別に直交する方向に自在に水平移動可能な状態で、且つ、前記各架台に配置した各レール体の長さ内の一定範囲内においてレール面上を移動自在なように構成した移動体を具備し、前記移動体に配設したコロ体からなる移動部材の前後の部位に、前記架台の平面移動を可能としている当該移動体の移動部材の移動に沿って移動しながら、前記レール面上を掃除、ブラッシング可能なように構成配置したブラシ体を配置したとともに、前記移動体は、その移動方向、進行方向の両端面に、衝撃を緩和、吸収できる材質のダンパ材からなる衝撃緩和部を固着して構成し、前記免震装置における接地面に位置する架台の底面部の複数箇所に、この架台を接地面に固定するための止めボルト等の装着用の孔を設け、前記免震装置における接地面に位置する架台の底面部の複数箇所に、接地面を損傷せずに保護することができ、且つ、装置自体の滑り止めともなり、しかも、免震装置のレベリングを調整するためのアジャスタを設けて構成した免震装置であって、前記下部架台の上面と中間部架台の下面のいずれかの一面、中間部架台の上面と上部架台の下面のいずれかの一面には、端部に回転可能にコロを備え、下面側に基台、スペーサが配置可能な隙間を有しつつ当該架台上にネジ、ナットを用いて支持されるとともに、上面側に弾性体と、この弾性体の締め付け状態の強弱の調整を行うネジ機構を具備する支持枠を有するストッパ体を備え、前記レール体の内側位置に平面又は底部を有し緩やかに傾斜した傾斜面を有するＶ字状又は円弧状のストッパ受面を具備するストッパ受体を設け、前記ストッパ体のコロを前記ストッパ受体のストッパ受面に係止し、前記ストッパ体における支持枠の隙間へのスペーサの装着と、前記ネジ機構による弾性体の支持枠に対する締め付け状態の強弱の調整とにより、前記支持枠を介して前記ストッパ受面への前記コロの接触状態を調整することで、移動する前記上部架台、中間部架台の平面移動時の減衰の調整を可能に構成したことを特徴とする免震装置である。
請求項１乃至５記載の各発明によれば、ネジ機構による弾性体の支持枠に対する締め付け状態の強弱の調整により又は前記スペーサの装着により、前記支持枠を介して前記ストッパ受面への前記コロの接触状態を調整することで、架台の平面移動時の減衰の調整を行うことができ、これにより前記架台の脱落・外脱を各実に防止することができる。
また、地震等の振動発生の際平面移動する架台の平面移動を可能としている移動体の移動部材の移動に沿って前記ブラシ体が同時に移動しながら、ブラシの下方先端をもって常時レール面上を掃除、ブラッシングできるので、架台側面周囲の隙間から装置の架台内に例えば、埃や塵、虫等の異物が侵入した場合においても、決して移動体のレール面に埃や塵、虫等の異物が付着、残存等することなく、常時、平面可動する架台の円滑な平面移動を保持し、装置の最良な作動状態を常時維持することができる免震装置を実現できる。
更に、下部架台の上面と中間部架台の下面との間、中間部架台の上面と上部架の下面との間には、夫々の架台内に各コロ体を装着配置しているとともに、地震等の振動発生の際に、下部架台、中間部架台とが、夫々個別に直交する前後・左右の方向に自在にオーバーハング状態で振動を吸収しながら水平移動が可能なように構成されて積層状態になっているので、これにより、美術品等々を搭載するようにした上部架台を支持しているその下方部分があらゆる方向に動きながら振動を吸収して上部架台上の美術品等の倒壊等を防止することができる物品搭載用の免震装置を実現できる。
この物品搭載用の免震装置は、地震等の振動発生の際には、下部架台、中間部架台が、夫々個別に直交する前後・左右の方向に自在にオーバーハング状態で振動を吸収しながら水平移動可能な構成であることから、上記各架台の水平移する各架台が脱落・外脱しないように規制するようにしたストッパ体と相まって、下部架台、中間部架台の各水平移動がかなり広い範囲まで安全に移動可能になるので、各架台のサイズを比較的小さくコンパクトに構成でき、本装置の設置場所も比較的狭いスペースで良く、例えば、既存、既製の搭載ケースＡ等の内部に本装置をそのまま配置して適用することができる。
請求項１乃至５記載の各発明によれば、前記請求項１乃至５記載の各発明の作用に加えて、移動体の上下に配置される可動架台が水平移動するとき、移動体の両端部の衝撃を無弾性ダンパ材からなる衝撃緩和部により緩和、吸収することができ、可動架台の水平移動の衝撃を柔らかく受け止めることにより、架台内において移動体の両端部が衝突しても、決して可動架台が不用意に飛び跳ねたりすることの無い免震装置を実現でき、更に免震装置の架台全体が不用意に大きく倒れたりすることを防止でき、上部架台の上面に重量物を搭載しても全く問題のない免震装置を実現でき、更に接地面を損傷せずに保護することができ、且つ、装置自体の滑り止めともなり、しかも、免震装置のレベリングを簡易に調整することができる免震装置を実現できる。
【発明の実施の形態】
次に、本発明の実施の形態を図面を参照して説明する。
（実施の形態１）
この免震装置１は、図１に示すように、地震等の振動発生の際、夫々個別に直交する方向に自在に平面移動しながら振動を吸収可能に構成した対向配置の各架台３０３、３０４、３０５を具備したものである他、例えば、図２、図３、図１２乃至図１８に示すような床面２上に配置する下部架台１０と、この下部架台１０の上に配置する中間部架台２０と、この中間部架台２０の上に配置する上部架台４０とを具備し、上部架台４０上の被搭載物を地震等の各種振動から保護するようにした装置である。
図１に示す各架台は、夫々対向する面が、地震等の振動発生の際、各架台が夫々個別に直交する方向に自在に平面移動させることができる例えば鋼材等からなる球体２０１を架台内から外脱しないような溝状になっている。
図３中のＡは、例えば美術品等々を収めている搭載ケースであり、この免震装置１は、例えば図３に示すような状態において使用される。
前記積層状態に対向配置した各架台の夫々の間には、前記下部架台１０、中間部架台２０を、各架台相互に対して、夫々個別に直交する方向に水平状態に自在に平面移動可能なように構成した例えば図１に示すような移動体９７を配置している。この移動体９７は、特に限定した構成を採用するものではなく、後記図１２乃至図１８に示すようなコロ体６０をはじめ、地震等の振動発生の際、各架台が夫々個別に直交する方向に自在に平面移動させることができる構成であれば、例えば、鋼材等からなる球体２０１を架台内から外脱しないような構成を施して配置する等々、如何なる構成のものでも良い。
本発明における架台構成としては、図１、又は図２、図３に示すような夫々個別に直交する方向に自在に平面移動するように構成した対向配置の架台構成の他、図５に示すように、接地面に基板１２０を配置し、その上に、移動体９７としての鋼材等からなる球体２０１を架台内から外脱しないような構成を施して配置しつつ平面移動するように構成した単一枚の架台３００の構成でも良く、また、図４に示すように、移動体９７としての鋼材等からなる球体２０１を架台内から外脱しないような構成を施して配置しつつ対向する架台の内のいずれか一方の架台が平面移動するように構成した各架台３０１、３０２の構成でも良い。図４に示す各架台３０１、３０２、図５に示す架台３００、基板１２０は、夫々対向する面が、移動体９７としての球体２０１が架台内から外脱しないような溝状になっている。
本実施の形態１における移動体９７は、図７、図１２等に示すように、レール体５０のレール面５１に接合しながらレール面５１上を移動する移動体９７の各移動部材であるコロ体６０におけるコロ６３、又は図１等に示すように、球体２０１の近傍部位に、地震等の振動発生の際平面移動する架台の平面移動を可能としている当該移動体９７の移動部材の移動に沿って移動しながらレール面５１上を掃除、ブラッシング可能なように構成したブラシ体４０１を配置してなることを特徴とするものである。
図１、図７に示す構成例では、レール面５１の長さ方向に沿って、移動体９７の各移動部材であるコロ体６０におけるコロ６３（図７）又は球体２０１（図１）の前後の部位にブラシ体４０１を配置している。図１中の４０２は、ブラシ体４０１のブラシ、４０３は移動体９７に固着されブラシ４０２を植設したガイド部である。
なお、前記ブラシ４０２の下方先端は、レール面５１の上面にほぼ接合している。
この種の装置における移動体にこのような構成を施すことにより、地震等の振動発生の際平面移動する架台の平面移動を可能としている移動体９７の移動部材の移動に沿って前記ブラシ体４０１が同時に移動しながら、ブラシ４０２の下方先端をもって、常時、レール面５１上を掃除、ブラッシングできるので、架台の側面周囲の隙間から装置の架台内に例えば、埃、塵、虫等の異物が侵入した場合においても、決して移動体のレール面に埃、塵、虫等の異物が付着、残存等することなく、常時、平面可動する架台の円滑な平面移動を保持し、装置の最良な作動状態を常時維持することができる。
なお、この免震装置１は、前記移動体の改良構成による上述した作用、機能の他、前記図１乃至図５に示す移動する架台構成を採用しているので、地震等の振動発生の際、架台の水平方向の自在な平面移動により振動を吸収可能な構成であることから、大小を問わず各種の地震等の振動発生の場合でも水平方向の振動を吸収することにより、床面に配置される台の上のコンピューター、精密機械等の機械器具、搭載台上の各種の搭載物、搭載ケース等に収納した各種搭載品等々が倒れてしまうような事態を防止できるとともに、地震等の発生振動が終わった後に、搭載台等を円滑に素早く元の位置へ復帰でき、しかも、設置場所も比較的狭いスペースで良く、既存、既製の搭載台、搭載ケース等にそのまま適用することができる装置である。
以下、図１２乃至図１８を参照して前述した前記移動体の改良構成が用いられる架台構成の一例を説明する。
即ち、前述した移動体の改良構成が設置される免震装置１における架台構成の一例を説明すると、以下の通りである。
この免震装置１は、前記図２、図３に示すように、床面２上に配置する下部架台１０と、この下部架台１０の上に配置する中間部架台２０と、この中間部架台２０の上に配置する上部架台４０とを具備している。
図２中のＡは、前述したように美術品等々を収めている搭載ケースであり、この免震装置１は、例えば、図３に示すような状態において使用される。
前記下部架台１０は、上面を開口１１とした四角形状の薄状箱型で、上方に向いて浅い溝部１２を設けて形成している。
前記中間部架台２０は、上・下面を夫々開口２１、２２とし、中心板２３の上下に夫々四角形状の薄状箱型を備えた形態で、この中心板２３の上方、下方に向いて夫々浅い溝部２４、２５を設け、上の溝部２４の部分を上方中間部架台２６、下の溝部２５の部分を下方中間部架台２７として形成している。
前記上部架台４０は、例えば図２に示すように、下面を開口４１とした四角形状の薄状箱型で、下方に向いた浅い溝部４２を設けて形成している。この上部架台４０の上に、コンピューター、精密機械等の機械器具等、又は美術品等が搭載、搭載される。
前記下部架台１０、中間部架台２０の上方中間部架台２６、下方中間部架台２７、上部架台４０は、図２、図１２に示すように、各溝部が夫々相互に対向する各架台内に、夫々対向する各溝部内の左右位置に凹溝状、逆凹溝状の各レール体５０を配置している。
即ち、前記下部架台１０の溝部１２の左右位置と、下方中間部架台２７の溝部２５の左右位置とには、相互に対向する溝部内の左右位置に凹溝状、逆凹溝状の各レール体５０を配置している。
また、前記上方中間部架台２６の溝部２４の左右位置と、上部架台４０の溝部４２の左右位置とには、図２、図１２に示すように、前記下部架台１０の溝部１２と下方中間部架台２７の溝部２５とに配置した各レール体５０と直交し交叉する状態で、相互に対向する溝部内の左右位置に凹溝状、逆凹溝状の各レール体５０を配置している。
従って、上方中間部架台２６の溝部２４と上部架台４０の溝部４２とに配置する各レール体５０と、前記下部架台１０の溝部１２と下方中間部架台２７の溝部２５とに配置する各レール体５０とは、直交し交叉する状態で配置している。
前記下部架台１０の溝部１２と下方中間部架台２７の溝部２５とに配置する各レール体５０、５０の間と、前記上方中間部架台２６の溝部２４と上部架台４０の溝部４２とに配置する各レール体５０、５０の間には、下部架台１０の開口１１と下方中間部架台２７の開口２２との対向端面と、上方中間部架台２６の開口２１と上部架台４０の開口４１との対向端面とに、夫々隙間８１を設けながら、前記各架台に配置した各レール体５０の上下に対向する各レール面５１に上下から挟持され、地震等の振動発生の際、前記下部架台１０、中間部架台２０が夫々個別に直交する方向に自在に水平移動可能な状態で、且つ、前記各架台に配置した各レール体５０の長さ内の一定範囲内においてレール面５１上を移動自在なように構成した移動体９７、例えば、図７に示すような各コロ６３等を備えたコロ体６０を具備している。
前記移動体９７は、前記各架台に配置した各レール体５０の上下に対向する各レール面５１に上下から挟持されて、地震等の振動発生の際、前記下部架台１０、中間部架台２０が個別に直交する方向に自在に水平移動可能な状態で、且つ、前記各架台に配置した各レール体５０の長さ内の一定範囲内においてレール面５１上を移動自在な構成であれば良く、特にその構成を限定するものではない。
例えば、図７に示すような各コロ体６０をもって移動体９７を構成しても良い。
前記各レール体５０の長さ内の一定範囲内とは、各レール体５０の長さ内における一定の範囲という意味であり、後記するように、例えば、各レール体５０の長手方向の夫々の両端部に各垂直片５６を突設した場合には、前記移動体９７がこの各垂直片５６内におけるレール面５１上を移動自在となる。
従って、下部架台１０、中間部架台２０の下方中間部架台２７、中間部架台２０の上方中間部架台２６、上部架台４０は、夫々の架台内に移動体９７、例えば各コロ体６０を装着配置しているとともに、図２等の各矢印に示すように、地震等の振動発生の際には、下部架台１０、中間部架台２０とが、夫々個別に直交する前後・左右の各方向に自在にオーバーハング状態で振動を吸収しながら水平移動が可能なように構成されて積層状態になっている。
前記下部架台１０、中間部架台２０とが、夫々個別に直交する前後・左右の方向に自在にオーバーハング状態で水平移動することから、これにより、美術品等を搭載する上部架台４０を支持しているその下方部分があらゆる方向に動きながら振動を吸収して上部架台４０上の美術品等の倒壊等を防止することになる。
なお、図２中の２点鎖線の引き出し線で示す符号７０又は９０は、下部架台１０と中間部架台２０の下方中間部架台２７との間、中間部架台２０の上方中間部架台２６と上部架台４０との間の左右位置に夫々配置した各レール体５０の間に、各架台間の各レール体５０に直交して配置される後記ストッパ体９０又はストッパ体７０と異なる実施の形態のストッパ体７０である。
本発明の実施の形態においては、下部架台１０、中間部架台２０が、夫々個別に直交する前後・左右の方向に自在にオーバーハング状態で振動を吸収しながら水平移動可能な構成であることから、後記する上記各架台の水平移動する各架台が脱落・外脱しないように規制するようにしたストッパ体７０と相まって、下部架台１０、中間部架台２０の各水平移動がかなり広い範囲まで安全に移動可能になるので、各架台のサイズを比較的小さくコンパクトに構成でき、本装置の設置場所も比較的狭いスペースで良く、例えば、既存、既製の搭載ケースＡ等の内部に本装置をそのまま配置して適用することができる。
前記下部架台１０、中間部架台２０の下方中間部架台２７、中間部架台２０の上方中間部架台２６、上部架台４０の各溝内に上下に配置する各レール体５０の上面のレール面５１は、夫々水平状態のレール面５１として実施しても良く、また、図１４乃至図１８に示すように、各架台の下部の溝内に配置する各レール体５０のレール面５１を変形実施しても良い。
即ち、図１４乃至図１８は、下部架台１０の溝部１２内のレール体５０のレール面５１と、上方中間部架台２６の溝部２４内のレール体５０のレール面５１とに、側面からみた場合、緩い傾斜の湾曲状部５２を形成して構成した状態を示すものである。
なお、中間部架台２０の下方中間部架台２７と上部架台４０との各溝内に配置する各レール体５０のレール面５１にも、前記下部架台１０の溝部１２内のレール体５０のレール面５１と上方中間部架台２６の溝部２４内のレール体５０のレール面５１とに構成したような側面からみた場合、緩い傾斜の湾曲状部５２を形成してこれを構成しても良い。
下部架台１０の溝部１２内のレール体５０のレール面５１と、上方中間部架台２６の溝部２４内のレール体５０のレール面５１とに、緩い湾曲状部５２を形成して構成した場合、下部架台１０、中間部架台２０との夫々個別に直交する前後・左右の方向への自在な水平移動を一層円滑するとともに、上部架台４０の高効率な振動吸収を行うことができ、下部架台１０、中間部架台２０の各架台の元の位置への復帰力を一層素早くすることが可能である。
前記下部架台１０、中間部架台２０の下方中間部架台２７、中間部架台２０の上方中間部架台２６、上部架台４０の各溝内に上下に配置する各レール体５０の各端部には、図１４、図１５等に示すように、前記下部架台１０、中間部架台２０の水平移動範囲の最大限（最大限のオーバーハング位置）を規制するための各垂直片５６を突設している。図１８に示すように、移動する各架台がその移動の最大限の位置に達した時、移動体９７、例えば各コロ６３が各垂直片５６に当接し移動を停止する。
なお、上記垂直片５６は、これに代替して、各架台の内壁面をもって、当該垂直片５６と同じ作用を発揮するようにしても良い。
前記各レール体５０の長手方向の夫々の両端部に、各垂直片５６を突設した場合には、前述したように、前記移動体９７、例えばコロ６３がこの各垂直片５６内におけるレール面５１上を移動自在となる。
前記上部架台４０の溝部４２内の左右の各レール体５０と、前記中間部架台２０の下方中間部架台２７の溝部２５内の左右の各レール体５０とは、
夫々内側方向に対向する各レール面５１の更に内側位置に、後記するストッパ体７０のコロ７１を搭載しこのコロ７１の受け体として、図１２、図１３に示すように夫々適当な幅を有する各ストッパ受面５３を設けたストッパ受体５４を形成している。
上記ストッパ受体５４の各ストッパ受面５３は、図１２、図１３に示すように、水平に形成しても良く、また、図１７に示すように、側面からみた場合、底部５５を有する緩やかに傾斜した傾斜面５３を有するＶ字状又は円弧状として形成しても良い。
上記ストッパ受体５４の各ストッパ受面５３を、底部５５を有する緩やかに傾斜した傾斜面５３を有するＶ字状又は円弧状に形成して構成した場合、下部架台１０、中間部架台２０の夫々個別に直交する前後・左右の方向への自在な水平移動を一層円滑するとともに、上部架台４０の高効率な振動減衰を行うことができ、高効率に下部架台１０のレール体５０からの中間部架台２０の脱落・外脱を防止、且つ、中間部架台２０のレール体５０からの上部架台４０の脱落・外脱を防止しながら、下部架台１０、中間部架台２０の各移動架台の元の位置への復帰力を一層素早くすることが可能となる。
なお、ストッパ受体５４の各ストッパ受面５３を、底部５５を有する緩やかに傾斜した傾斜面５３を有するＶ字状又は円弧状に形成して構成した場合、図１７に示すように、下部架台１０、中間部架台２０の水平移動範囲が最大限（最大限のオーバーハング位置）の移動位置に達した時（図１５の状態の時）、各コロ７１は当該ストッパ受面５３の傾斜面５３の最も高い部分に位置（図１７中の破線の部分）して移動架台（下部架台１０、中間部架台２０）が停止することになる。コロ７１が、図１７の実線で示すように中央部分に位置するとき、下部架台１０、中間部架台２０は図１４に示すような状態にある。
前記下部架台１０の溝部１２内と、前記中間部架台２０の上方中間部架台２６の溝部２４内とには、下部架台１０のレール体５０からの中間部架台２０の脱落・外脱を防止し、中間部架台２０のレール体５０からの上部架台４０の脱落・外脱を防止するため、下部架台１０の溝部１２内と中間部架台２０の上方中間部架台２６の溝部２４内の左右の各レール体５０の間に、これらの各レール体５０に直交する状態でストッパ体９０を具備している。
図１２中の２点鎖線の引き出し線で示す符号９０は、中間部架台２０の上方中間部架台２６と上部架台４０との間に配置するストッパ体である。このストッパ体９０は、下部架台１０と中間部架台２０の下方中間部架台２７との間に配置するストッパ体９０と同一構成で、下部架台１０と中間部架台２０の下方中間部架台２７との間に配置するストッパ体９０に直交して、中間部架台２０の上方中間部架台２６と上部架台４０との間に配置される。
本実施の形態１の上記ストッパ体９０は、図１２に示すように、下部架台１０の溝部１２内、中間部架台２０の上方中間部架台２６の溝部２４内において、左右両端に回転可能に設けた各コロ７１を有し、凹状に形成され、下部架台１０から垂直に立設した保持枠９３を、２個のナット９６、ネジ棒、２個のナット９１を用いて支持し、各コロ７１を高、低に調整可能に構成としている。
図１２中の９１は、ナット９６上で保持枠９３を挟み込むようにして支持しているナットである。
従って、この実施の形態においては、ナット９６、従って下部架台１０への保持枠９３の高・低の支持位置をナット９１の締め付け状態により、自在に調整可能できるので、これにより、前記ストッパ受面５３へのコロ７１の接触状態を調整できることから、下部架台１０、中間部架台２０の夫々個別に直交する前後・左右の方向への自在な水平移動の調整を自在にできる。
上記ストッパ体９０のコロ７１は、これ自体をコロの構成に限定するものではない。要は、ストッパ受面５３の接触状態を調整できるものであれば、単なる棒状としてこれを構成しても良い。この点、後述する変形する実施の形態におけるストッパ体７０のコロ７１も同様である。
なお、ストッパ受体５４の各ストッパ受面５３を、図１６のように、水平に形成して構成した場合、図１６に示すように、下部架台１０、中間部架台２０の水平移動範囲が最大限（最大限のオーバーハング位置）の移動位置に達した時（図１５の状態の時）、各コロ７１は当該ストッパ受面５３の傾斜面５３の最も高い部分に位置（図１６中の破線の部分）して移動架台（下部架台１０、中間部架台２０）が停止することになる。コロ７１が、図１６の実線で示すように中央部分に浮上して位置するときは、下部架台１０、中間部架台２０は図１４に示すような状態にある。
図１３は、変更した実施の形態のストッパ体７０であり、凹状の保持枠７３の左右両端に回転可能に設けた各コロ７１を有し、この保持枠７３の中心位置に保持枠７３を、下部架台１０の溝部１２内、中間部架台２０の上方中間部架台２６の溝部２４内に垂直に固設するネジ芯棒９４と、これに装着するナット９２を具備している。上記変更した実施の形態のストッパ体７０の場合においても、前記ストッパ体９０の場合と同様に、ストッパ受体５４のストッパ受面５３は、図１６、図１７に示すように、水平或いは底部５５を有する緩やかに傾斜した傾斜面５３を有するＶ字状又は円弧状として形成したものに適用できることは勿論である。
そして、前記保持枠７３の左右位置には、各ネジ芯棒７６の周囲に上下方向に付勢、弾性作用を発揮するバネ７７等の各弾性体７８を装着し、凹状の保持枠７３の底面にスペーサ７４を装着可能な隙間７５を有しつつ基板８０を、下部架台１０の溝部１２の底部、中間部架台２０の上方中間部架台２６の溝部２４の底部に固着している。
図１３中の２点鎖線の引き出し線で示す符号７０は、中間部架台２０の上方中間部架台２６と上部架台４０との間に配置するストッパ体である。このストッパ体７０は、下部架台１０と中間部架台２０の下方中間部架台２７との間に配置するストッパ体７０と同一構成で、下部架台１０と中間部架台２０の下方中間部架台２７との間に配置するストッパ体７０に直交して、中間部架台２０の上方中間部架台２６と上部架台４０との間に配置される。
図１３中、７９は各コロ７１のコロ軸、８２はバネ７７等の弾性体７８の上方に配置した押え板、８３はネジ芯棒７６を下部架台１０の溝部１２の底部、中間部架台２０の上方中間部架台２６の溝部２４の底部に固着するようにした場合のネジ頭である。
この場合、前記ストッパ体７０の左右の各コロ７１は、前記上部架台４０の溝部４２内と、中間部架台２０の下方中間部架台２７の溝部２５内との左右の各ストッパ受体５４のストッパ受面５３上に位置して、下部架台１０、中間部架台２０が夫々個別に直交する前後・左右の方向へ振動を吸収しながら自在な水平移動する際このストッパ受面５３上を回転するようになっている。
従って、この実施の形態においては、スペーサ７４を装着でき、弾性体７８の締め付け状態の強弱の調整ができ、これにより、前記ストッパ受面５３へのコロ７１の接触状態を調整できることから、下部架台１０、中間部架台２０の夫々個別に直交する前後・左右の方向への自在な減衰の調整を自在にできる。
これにより、図１６、図１７に示すような所に位置する場合のコロ７１を、自在に変更、調整（コロ７１の下面をストッパ受面５３に強弱を持たせながら当接させたり、浮上させたり）することにより、前記下部架台１０、中間部架台２０の各水平移動の減衰強弱を調整可能である。
なお、前記コロ体６０は、例えば図７に示すように、左右の縦方向の上下端の部分に位置して各横軸材６１を固着した［］状に配置した各縦軸材６２と、各横軸材６１の左右端に垂直状に回転可能に具備した各コロ６３と、各コロ６３の内側に位置して［］状の各縦軸材６２の上下端に水平状に回転可能に具備した各コロ６４とを有している。
上記各横軸材６１の垂直状に回転可能な各コロ６３は、その上下端部が、前記下部架台１０、中間部架台２０の上方中間部架台２６、下方中間部架台２７、上部架台４０の各溝内に配置した各レール体５０の各レール面５１に上下方向から挟持されるように接触し、この状態で、前記下部架台１０、中間部架台２０が個別の水平方向に移動する際、各コロ６３は回転する。
各縦軸材６２の水平状に回転可能な各コロ６４は、水平状に対向する各コロ６４の各外側端部が、前記下部架台１０、中間部架台２０の上方中間部架台２６、下方中間部架台２７、上部架台４０の各溝内に配置した各レール体５０の各垂直内壁面５８に接触し、この状態で、前記中間部架台２０と上部架台４０との個別の水平方向に移動する際、各コロ６４は当該移動を案内する。
なお、コロ体６０は、図１４、図１５に示すように、前記下部架台１０、中間部架台２０が個別の水平方向の移動に沿って、それ自体が自在に移動する。
このように構成した本実施の形態に係る免震装置は、例えば、前記上部架台４０の上に、コンピューター、精密機械等の機械器具等、又は美術品等の搭載物を搭載して、これを使用状態においた場合、地震等各種の振動発生の際、下部架台１０、中間部架台２０が、夫々個別に直交する前後・左右の方向に自在にオーバーハング状態で振動を吸収しながら水平移動が可能なように構成されているので、上部架台４０上のコンピューター、精密機械等の機械器具、搭載物が倒壊してしまうような事態を防止できる。
そして、下部架台１０の溝部１２内のレール体５０のレール面５１と、上方中間部架台２６の溝部２４内のレール体５０のレール面５１とに、緩い湾曲状部５２を形成して構成した場合、前記下部架台１０、中間部架台２０の夫々個別に直交する前後・左右の方向への自在な水平移動を一層円滑するとともに、地震等の発生振動が終わった後は、下部架台１０、中間部架台２０の元の位置への復帰力を一層素早くすることが可能となる。
また、前記下部架台１０、中間部架台２０とが、夫々個別に直交する前後・左右の方向に自在にオーバーハング状態で水平移動することから、これにより、美術品等を搭載する上部架台４０を支持しているその下方部分があらゆる方向に動きながら振動を吸収して上部架台４０上の美術品等の倒壊等を防止することになるとともに、下部架台１０、中間部架台２０が、夫々個別に直交する前後・左右の方向に自在にオーバーハング状態で振動を吸収しながら水平移動可能な構成であることから、上記各架台の水平移動する各架台が脱落・外脱しないように規制するようにしたストッパ体７０と相まって、下部架台１０、中間部架台２０の各水平移動がかなり広い範囲まで安全に移動可能になるので、各架台のサイズを比較的小さくコンパクトに構成でき、本装置の設置場所も比較的狭いスペースで良く、例えば既存、既製の搭載ケースＡ等の内部に本装置をそのまま配置して適用することができる。
また、前記中間部架台２０の下方中間部架台２７、上部架台４０の各ストッパ受体５４の各ストッパ受面５３を、底部５５を有する緩やかに傾斜した傾斜面５３を有するＶ字状又は円弧状に形成して構成した場合、下部架台１０、中間部架台２０の夫々個別に直交する前後・左右の方向への自在な水平移動を一層円滑するとともに、上部架台４０の高効率な振動減衰を行うことができ、下部架台１０、中間部架台２０の各移動架台の元の位置への復帰力を一層素早くすることが可能となる。
また、前記ストッパ体９０のナット９６への保持枠９３の高・低の支持位置をナット９１の締め付け状態により、自在に簡易に調整可能できるので、これにより、前記ストッパ受面５３へのコロ７１の接触状態を調整できることから、下部架台１０、中間部架台２０の夫々個別に直交する前後・左右の方向への自在な水平移動の調整を自在にできる。
更に、変更した実施の形態のストッパ体７０においては、スペーサ７４を装着でき、弾性体７８の締め付け状態の強弱の調整ができ、これにより、前記レール面５３へのコロ７１の接触状態を調整できることから、下部架台１０、中間部架台２０の夫々個別に直交する前後・左右の方向への自在な減衰の調整を自在にできる。
このような架台構成の免震装置１の移動体９７に前記した改良構成を施すことにより、地震等の振動発生の際平面移動する架台の平面移動を可能としている移動体９７の移動部材の移動に沿って前記ブラシ体４０１が同時に移動しながら、ブラシ４０２の下方先端をもって、常時、レール面５１上を掃除、ブラッシングできるので、架台の側面周囲の隙間から装置の架台内に例えば、埃、塵、虫等の異物が侵入した場合においても、決して移動体のレール面に埃、塵、虫等の異物が付着、残存等することなく、常時、平面可動する架台の円滑な平面移動を保持し、装置の最良な作動状態を常時維持することができる。
なお、図１２乃至図１８に示す免震装置１は、前記移動体の改良構成による作用、機能の他、図１乃至図５に示す移動する架台構成を採用しているので、地震等の振動発生の際、架台の水平方向の自在な平面移動により振動を吸収可能な構成であることから、大小を問わず各種の地震等の振動発生の場合でも水平方向の振動を吸収することにより、床面に配置される台の上のコンピューター、精密機械等の機械器具、搭載台上の各種の搭載物、搭載ケース等に収納した各種搭載品等々が倒れてしまうような事態を防止できるとともに、地震等の発生振動が終わった後に、搭載台等を円滑に素早く元の位置へ復帰でき、しかも、設置場所も比較的狭いスペースで良く、既存、既製の搭載台、搭載ケース等にそのまま適用することができる装置である。
（実施の形態２）
次に、図７を参照して本実施の形態２の免震装置１Ａについて説明する。
実施の形態２の免震装置１Ａは、基本的な構成は実施の形態１の場合と同様であるが、前記移動体９７の移動方向、進行方向の両端面に、適当な肉厚に形成した無弾性ダンパ材からなる衝撃緩和部４１０を固着して構成したことが特徴である。これ以外の構成各部は、実施の形態１の場合と同様である。
本実施の形態２の衝撃緩和部４１０の構成は、前記実施の形態１で説明した各架台構成における各種の形態の移動体に適用できることは勿論であり、この実施の形態２の衝撃緩和部４１０の構成が、前記実施の形態１の図１２乃至図１８に示す免震装置における移動体９７の構成に適用できることは勿論である。
このように構成した移動体構成によれば、移動体の上下に配置される可動架台が水平移動するとき、移動体９７の両端部の衝撃を無弾性ダンパ材からなる衝撃緩和部４１０により緩和、吸収することができ、従って、可動架台の水平移動の衝撃を柔らかく受け止めることにより、架台内において移動体９７の両端部が衝突しても、決して可動架台が不用意に飛び跳ねたりすることが無くなる。
なお、前記移動体９７にこのような衝撃緩和部４１０を設けた免震装置１Ａによれば、前記実施の形態１に説明した免震装置としての各作用、機能を発揮できることは勿論である。
（実施の形態３）
次に、図８乃至図１１を参照して本実施の形態３の免震装置１Ｂについて説明する。
実施の形態３の免震装置１Ｂは、基本的な構成は実施の形態１の場合と同様であるが、前記接地面に位置する下部架台１０又は３０５の底面部４１１の複数箇所に、この下部架台１０又は３０５を接地面に固定するための例えば止めボルト４１３（図１１）の装着用の孔４１２を設けて構成したことが特徴である。これ以外の構成各部は、実施の形態１の場合と同様である。
本実施の形態３の上記接地面に位置する下部架台１０又は３０５の構成は、前記実施の形態１で説明した各架台構成に適用できることは勿論であり、この実施の形態３の構成が、前記実施の形態１の図１２乃至図１８に示す免震装置における各架台構成に適用できることは勿論である。
前記接地面に位置する下部架台１０又は３０５の底面部４１１の複数箇所にこの下部架台１０又は３０５を接地面に固定するための例えば止めボルト４１３（図１１）の装着用の孔４１２を設けた場合、免震装置の架台全体が不用意に大きく倒れたりすることが防止でき、例えば、上部架台４０又は３０３の上面に重量物を搭載しても全く問題がない。
なお、前記移動体９７にこのような衝撃緩和部４１０を設けた免震装置１Ａによれば、前記実施の形態１に説明した免震装置としての各作用、機能を発揮できることは勿論である。
（実施の形態４）
次に、図８乃至図１１を参照して本実施の形態３の免震装置１Ｃについて説明する。
実施の形態３の免震装置１Ｃは、基本的な構成は実施の形態１の場合と同様であるが、前記接地面に位置する下部架台１０又は３０５の底面部４１１の複数箇所、例えば各隅部の４箇所に、免震装置１Ｃのレベリングを調整するためのアジャスタ４１４を設けて構成したことが特徴である。これ以外の構成各部は、実施の形態１の場合と同様である。
前記アジャスタ４１４は、下部架台１０又は３０５の底面部４１１の各穴部４１５に装着されるように構成されていて、この穴部４１５を塞ぎ且つその両端にスリット４１６を形成可能なように下部架台１０又は３０５の底面部４１１の内面に固着した板材４１７と、この板材４１７に設けた螺着用孔４１８に螺着するボルト４１９と、底面にゴム板等の滑り止め材４２０を固着し凹状に形成されて凹状の両端の各薄脚部４２１を前記左右のスリット４１６に挿入するようにした装着具４２２とを具備している。
前記装着具４２２の両端の各薄脚部４２１は、前記左右のスリット４１６に挿入した後、図１０、図１１に示すように、指で軽く折り曲げて、この装着具４２２が下部架台１０又は３０５の底面部４１１の内面から落下しないようにして使用する。
従って、このように構成したアジャスタ４１４によれば、前記装着具４２２の両端の各薄脚部４２１を、前記左右のスリット４１６に挿入した後、図１０、図１１に示すように、指で軽く折り曲げて、この装着具４２２が下部架台１０又は３０５の底面部４１１の内面から落下しないようにした後、各アジャスタ４１４の各ボルト４１９の締着度合い調節により、簡易に免震装置１Ｃのレベリングを調整できる。
また、前記装着具４２２の底面にゴム板等の滑り止め材４２０を設けているので、これにより、接地面を損傷せずに保護することができるとともに、装置自体の滑り止めともなる。
本実施の形態３の上記接地面に位置する下部架台１０又は３０５のアジャスタ構成は、前記実施の形態１で説明した各架台構成に適用できることは勿論であり、この実施の形態３の構成が、前記実施の形態１の図１２乃至図１８に示す免震装置における各架台構成に適用できることは勿論である。
なお、前記移動体９７にこのような衝撃緩和部４１０を設けた免震装置１Ａによれば、前記実施の形態１に説明した免震装置としての各作用、機能を発揮できることは勿論である。
【発明の効果】
本発明の請求項１乃至５記載の各発明によれば、移動する前記各架台の平面移動の減衰の調整ができ、前記架台の脱落・外脱を確実に防止することが可能な免震装置を提供できる。
また、地震等の振動発生の際平面移動する架台の平面移動を可能としている移動体の移動部材の移動に沿って前記ブラシ体が同時に移動しながら、ブラシの下方先端をもって、常時、レール面上を掃除、ブラッシングできるので、架台の側面周囲の隙間から装置の架台内に例えば、埃、塵、虫等の異物が侵入した場合においても、決して移動体のレール面に埃、塵、虫等の異物が付着、残存等することなく、常時、平面可動する架台の円滑な平面移動を保持し、装置の最良な作動状態を常時維持することができる免震装置を提供できる。
更に、下部架台の上面と中間部架台の下面との間、中間部架台の上面と上部架の下面との間には、夫々の架台内に各コロ体を装着配置しているとともに、地震等の振動発生の際に、下部架台、中間部架台とが、夫々個別に直交する前後・左右の方向に自在にオーバーハング状態で振動を吸収しながら水平移動が可能なように構成されて積層状態になっているので、これにより、美術品等々を搭載するようにした上部架台を支持しているその下方部分があらゆる方向に動きながら振動を吸収して上部架台上の美術品等の倒壊等を防止することができる物品搭載用の免震装置を提供できる。
この物品搭載用の免震装置は、地震等の振動発生の際には、下部架台、中間部架台が、夫々個別に直交する前後・左右の方向に自在にオーバーハング状態で振動を吸収しながら水平移動可能な構成であることから、上記各架台の水平移する各架台が脱落・外脱しないように規制するようにしたストッパ体と相まって、下部架台、中間部架台の各水平移動がかなり広い範囲まで安全に移動可能になるので、各架台のサイズを比較的小さくコンパクトに構成でき、本装置の設置場所も比較的狭いスペースで良く、例えば、既存、既製の搭載ケースＡ等の内部に本装置をそのまま配置して適用することができる。
請求項１乃至５記載の各発明によれば、前記請求項１乃至５記載の各発明の効果に加えて、移動体の上下に配置される可動架台が水平移動するとき、移動体の両端部の衝撃を無弾性ダンパ材からなる衝撃緩和部により緩和、吸収することができ、可動架台の水平移動の衝撃を柔らかく受け止めることにより、架台内において移動体の両端部が衝突しても、決して可動架台が不用意に飛び跳ねたりすることの無い免震装置を提供でき、更に免震装置の架台全体が不用意に大きく倒れたりすることを防止でき、上部架台の上面に重量物を搭載しても全く問題のない免震装置を提供でき、更に接地面を損傷せずに保護することができ、且つ、装置自体の滑り止めともなり、しかも、免震装置のレベリングを簡易に調整することができる免震装置を提供できる。
【図面の簡単な説明】
【図１】本発明の実施の形態に係る免震装置の装置全体の概念図としての説明図である。
【図２】本発明の実施の形態に係る免震装置の図１と異なる装置全体の説明図である。
【図３】本発明の実施の形態に係る免震装置の図２の装置の使用状態の一例を示す説明図である。
【図４】本発明の実施の形態に係る免震装置の図１乃至図３と異なる装置全体の概念図としての説明図である。
【図５】本発明の実施の形態に係る免震装置の図１乃至図４と異なる装置全体の概念図としての説明図である。
【図６】本発明の実施の形態に係る免震装置のブラシ体の要部を示す説明図である。
【図７】本発明の実施の形態に係る免震装置の移動体の一例の要部を示す説明図である。
【図８】本発明の実施の形態に係る免震装置の接地面に位置する下部架台の底面部の平面・側面を示す説明図であるり、図中の（ａ）は平面図、（ｂ）は側面図である。
【図９】本発明の実施の形態に係る免震装置のアジャスタの説明図であり、図中の（ａ）は装着具の正面図、（ｂ）は同側面図、（ｃ）は同使用状態の平面図である。
【図１０】本発明の実施の形態に係る免震装置のアジャスタの使用状態を示す説明図である。
【図１１】本発明の実施の形態に係る免震装置のアジャスタ、固定用の止めボルトの使用状態を示す説明図である。
【図１２】本発明の実施の形態に係る図２・図３に示す免震装置の一部を省略した主としてストッパ体の要部を示す拡大縦断側面図である。
【図１３】本発明の実施の形態に係る図２・図３に示す免震装置の一部を省略した主として図１２とは異なる形態のストッパ体の要部を示す拡大縦断側面図である。
【図１４】本発明の実施の形態に係る図２・図３に示す免震装置のレール体とコロ体のコロとの説明図ある。
【図１５】本発明の実施の形態に係る図２・図３に示す免震装置のレール体とコロ体のコロとの説明図ある。
【図１６】本発明の実施の形態に係る図２・図３に示す免震装置のストッパ受体とストッパ体のコロとの説明図ある。
【図１７】図１６と異なる形態の実施の形態に係る図２・図３に示す免震装置のストッパ受体とストッパ体のコロとの説明図ある。
【図１８】本発明の実施の形態に係る図１４、図１５のレール体とストッパ体との説明図ある。
【符号の説明】
Ａ  搭載ケース
１  免震装置
２  床面
１０  下部架台
１１  開口
１２  溝部
２０  中間部架台
２１  上面の開口
２２  下面の開口
２３  中心板
２４  溝部
２５  溝部
２６  上方中間部架台
２７  下方中間部架台
４０  上部架台
４１  開口
４２  溝部
５０  レール体
５１  レール面
５２  湾曲状部
５３  ストッパ受面
５４  ストッパ受体
５５  底部
５６  垂直片
６０  コロ体
６１  横軸材
６２  縦軸材
６３  コロ
６４  コロ
７０  ストッパ体
７１  コロ
７３  保持枠
７４  スペーサ
７５  隙間
７６  芯棒
７７  バネ
７８  弾性体
７９  コロ軸
８０  基板
８１  隙間
８２  押え板
８３  ネジ頭
９０  ストッパ体
９１  ナット
９２  ナット
９３  保持枠
９４  ネジ芯棒
９６  ナット
９７  移動体
１Ａ、１Ｂ  １Ｃ  免震装置
２０１  鋼材等からなる球体
３００、３０１、３０２  架台
３０３、３０４、３０５  架台
４０１  ブラシ体
４０２  ブラシ
４０３  ガイド部
４１０  衝撃緩和部
４１１  下部架台の底面部
４１２  孔
４１３  止めボルト
４１４  アジャスタ
４１５  穴部
４１６  スリット
４１７  板材
４１８  螺着用孔
４１９  ボルト
４２０  滑り止め材
４２１  薄脚部
４２２  装着具
【図１】
0004838408.tif 000002
【図２】
0004838408.tif 000003
【図３】
0004838408.tif 000004
【図４】
0004838408.tif 000005
【図５】
0004838408.tif 000006
【図６】
0004838408.tif 000007
【図７】
0004838408.tif 000008
【図８】
0004838408.tif 000009
【図９】
0004838408.tif 000010
【図１０】
0004838408.tif 000011
【図１１】
0004838408.tif 000012
【図１２】
0004838408.tif 000013
【図１３】
0004838408.tif 000014
【図１４】
0004838408.tif 000015
【図１５】
0004838408.tif 000016
【図１６】
0004838408.tif 000017
【図１７】
0004838408.tif 000018
【図１８】
0004838408.tif 000019